(57)【要約】【課題】金属製の室外側下枠と金属製の室内側下枠とを樹脂製の断熱材により連結する構造を備えた下枠に関して、断熱性能の更なる向上を図れる構造を実現する。【解決手段】下枠６を構成する下部外レール２２ａと下部内レール２５との間部分のうち、面内方向に関して外障子３が閉鎖状態で位置する側で、かつ、断熱材の上方に、少なくとも金属製の第１室内側下枠カバー片３２を備える第１下枠カバー２８を配置する。また、面内方向に関して内障子４が閉鎖状態で位置する側で、かつ、断熱材の上方に、少なくとも金属製の第２室外側下枠カバー片３３を備える第２下枠カバー２９を配置する。【選択図】図４
2018204388.tif 000002
【特許請求の範囲】
【請求項１】
外障子を案内するための下部外レールを有する金属製の室外側下枠と、内障子を案内するための下部内レールを有する金属製の室内側下枠と、面外方向に関して前記室外側下枠と前記室内側下枠との間に配置され、これら室外側下枠と室内側下枠とを連結する樹脂製の断熱材とを備えた窓枠用下枠であって、
前記下部外レールと前記下部内レールとの間部分のうち、面内方向に関して前記外障子が閉鎖状態で位置する側で、かつ、前記断熱材の上方に、第１下枠カバーが配置されており、前記第１下枠カバーは、室内側に配置された金属製の第１室内側下枠カバー片を少なくとも有しており、
前記下部外レールと前記下部内レールとの間部分のうち、面内方向に関して前記内障子が閉鎖状態で位置する側で、かつ、前記断熱材の上方に、第２下枠カバーが配置されており、前記第２下枠カバーは、室外側に配置された金属製の第２室外側下枠カバー片を少なくとも有している、ことを特徴とする窓枠用下枠。
【請求項２】
前記第１下枠カバーは、室外側に配置された樹脂製の第１室外側下枠カバー片を更に備えており、前記第２下枠カバーは、室内側に配置された樹脂製の第２室内側下枠カバー片を更に備えている、請求項１に記載した窓枠用下枠。
【請求項３】
面内方向に関して前記第１下枠カバーと前記第２下枠カバーとの間に、隙間が設けられている、請求項１〜２のうちの何れか１項に記載した窓枠用下枠。
【請求項４】
前記第１下枠カバー及び前記第２下枠カバーは、それぞれ固定ブロックを介して支持されている、請求項１〜３のうちの何れか１項に記載した窓枠用下枠。
【請求項５】
前記断熱材の上面が、室外側に向かうほど下方に向かう方向に傾斜している、請求項１〜４のうちの何れか１項に記載した窓枠用下枠。
【発明の詳細な説明】
【技術分野】
【０００１】
本発明は、外障子及び内障子が建て込まれる窓枠の下辺を構成する下枠に関する。
【背景技術】
【０００２】
建物躯体の開口部には、採光や換気などを目的として、窓装置を設けることが行われている。このような窓装置を構成する窓枠の枠材や窓障子用の框材は、一般的にアルミニウム合金から造られている。ただし、アルミニウム合金は熱伝導率が高いため、枠材や框材の室内側部分の表面の温度は外気の温度に近くなり、そのままでは室内の冷暖房効果を損なう可能性があるだけでなく、冬期に結露が生じて、床やカーテンなどを汚損する可能性がある。
【０００３】
このような事情に鑑みて、特開平１０−１８４１９９号公報には、枠材や框材を、アルミニウム合金製の室外側フレームと合成樹脂製の室内側フレームとを連結して構成する構造が開示されている。このような従来構造の第１例では、室内側フレームを構成する合成樹脂の熱伝導率が低いため、室内側フレームの温度を、外気の温度に拘らず一定に保ち易くすることができる。このため、室内の冷暖房効果を向上させられるとともに、結露の発生を防止できる。ただし、このような従来構造の第１例では、枠材や框材の全体をアルミニウム合金製とした場合に比べて、耐久性や耐候性が低くなる。また、例えば窓装置の躯体取り付け作業時には、溶接による火花の影響や傷などの配慮も必要になる。
【０００４】
このような事情に鑑みて、特開平１０−１９６２２８号公報には、枠材や框材を、アルミニウム合金製の室外側フレーム及び室内側フレームと、これら室外側フレームと室内側フレームとを連結する合成樹脂製の断熱材とから構成する構造が開示されている。このような従来構造の第２例では、室外側フレームと室内側フレームとの間には、熱伝導率が低い合成樹脂製の断熱材が存在するため、これら室外側、室内側両フレーム同士の間での熱伝達量が少なくなる。このため、室内側フレームの温度を、外気の温度に拘らず一定に保ち易くすることができる。従って、室内の冷暖房効果を向上させられるとともに、結露の発生を防止できる。また、室内側フレームを合成樹脂製とした場合に比べて、耐久性及び耐候性の向上を図れる。さらに、窓装置の躯体取り付け作業時においても、溶接による火花の影響や傷などの配慮も軽減される。
【先行技術文献】
【特許文献】
【０００５】
【特許文献１】特開平１０−１８４１９９号公報
【特許文献２】特開平１０−１９６２２８号公報
【発明の概要】
【発明が解決しようとする課題】
【０００６】
ところで、引き違い式や片引き式の窓装置のように、外障子及び内障子をそれぞれ備える窓装置の下枠に関して、上述した従来構造の第２例のように、室外側下枠と室内側下枠とを合成樹脂製の断熱材によって連結する構造を採用した場合、断熱材が下枠の上面に露出し、特に内障子の閉鎖状態における室外側（面外方向）が直接外気に曝らされるため、断熱材自体の温度が外気の温度に近くなる可能性がある。このため、下枠の断熱性能の向上を図る面からは改良の余地がある。
【０００７】
また、外気に曝らされる室外側下枠の一部と外障子の下辺を構成する下框の室内側部分とが、近接して配置される可能性があり、これら室外側下枠と外障子の下框との間で熱橋が生じ、下框の室内側部分の温度が外気の温度に近くなる可能性がある。このため、下框を、室外側フレームと室内側フレームとを断熱材により連結した連結構造とした場合にも、外気の温度が室内の温度よりも低い状況下では、下框の室内側部分に結露が発生する可能性がある。
【０００８】
本発明は、上述したような事情に鑑みなされたものであり、その目的は、金属製の室外側下枠と金属製の室内側下枠とを樹脂製の断熱材により連結する構造を備えた窓枠用下枠に関して、断熱性能の更なる向上を図れる構造を実現するものである。
また、本発明は、必要に応じて、外障子を構成する下框の室内側部分に結露が発生することを有効に防止できる構造を実現するものである。
【課題を解決するための手段】
【０００９】
本発明の窓枠用下枠は、室外側下枠と、室内側下枠と、断熱材とを備える。
前記室外側下枠は、金属製で、外障子を案内するための下部外レールを有している。
前記室内側下枠は、金属製で、内障子を案内するための下部内レールを有している。
前記断熱材は、樹脂製で、面外方向に関して前記室外側下枠と前記室内側下枠との間に配置され、これら室外側下枠と室内側下枠とを連結する。
特に本発明の窓枠用下枠は、前記下部外レールと前記下部内レールとの間部分のうち、面内方向に関して前記外障子が閉鎖状態で位置する側で、前記断熱材の上方に、第１下枠カバーを配置しており、かつ、面内方向に関して前記内障子が閉鎖状態で位置する側で、前記断熱材の上方に、第２下枠カバーを配置している。
前記第１下枠カバーは、室内側に配置された金属製の第１室内側下枠カバー片を少なくとも有している。
前記第２下枠カバーは、室外側に配置された金属製の第２室外側下枠カバー片を少なくとも有している。
【００１０】
本発明では、第１下枠カバーを、室外側に配置された樹脂製の第１室外側下枠カバー片を更に備えるものとし、第２下枠カバーを、室内側に配置された樹脂製の第２室内側下枠カバー片を更に備えるものとすることができる。
【００１１】
本発明では、面内方向に関して前記第１下枠カバーと前記第２下枠カバーとの間に、隙間を設けることができる。前記隙間は、前記下枠の上面に雨水などを導くための排水口として利用することができる。
【００１２】
本発明では、前記第１下枠カバー及び前記第２下枠カバーを、それぞれ固定ブロックを介して支持することができる。
【００１３】
本発明では、前記断熱材の上面を、室外側に向かうほど下方に向かう方向に傾斜させることができる。
【００１４】
本発明では、前記室外側下枠及び前記室内側下枠をそれぞれ、アルミニウム合金製とすることができる。
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。
また、本発明では、前記断熱材を、例えばポリアミド６（ナイロン６）などの合成樹脂製で、帯状（板状）のものを使用することができる。
【発明の効果】
【００１５】
本発明によれば、金属製の室外側下枠と金属製の室内側下枠とを樹脂製の断熱材により連結する構造を備えた窓枠用下枠に関して、断熱性能の更なる向上を図れる。
また、請求項２に記載した発明によれば、外障子を構成する下框の室内側部分に結露が発生することを有効に防止できる。
【図面の簡単な説明】
【００１６】
【図１】図１は、本発明の実施の形態の１例に係る窓装置を室内側から見た模式図である。
【図２】図２は、実施の形態の１例に係る窓装置の面内方向片側半部における縦断面図である。
【図３】図３は、実施の形態の１例に係る窓装置の面内方向他側半部における縦断面図の要部（下端部）を示す図である。
【図４】図４は、実施の形態の１例に係る窓装置の横断面図である。
【図５】図５は、図４から外障子及び内障子を省略して示す図である。
【図６】図６は、図５のＡ−Ａ断面図である。
【図７】図７は、図５のＢ−Ｂ断面図である。
【図８】図８は、第１固定ブロックを取り出して示す、正面図（Ａ）、平面図（Ｂ）、及び斜視図（Ｃ）である。
【図９】図９は、第２固定ブロックを取り出して示す、正面図（Ａ）及び平面図（Ｂ）である。
【図１０】図１０は、室外側風止め板を取り出して示す、正面図（Ａ）、平面図（Ｂ）、左側面図（Ｃ）及び斜視図（Ｄ）である。
【図１１】図１１は、室外側風止め板の組み付け状態を説明するために示す、縦断面図（Ａ）及び（Ａ）の上方から見た図（Ｂ）である。
【図１２】図１２は、室内側風止め板を取り出して示す斜視図である。
【発明を実施するための形態】
【００１７】
［実施の形態の１例］
実施の形態の１例について、図１〜図１２を参照して説明する。
本例は、引き違い式の窓装置１に、本発明を適用した場合を示している。窓装置１は、矩形枠状の窓枠２と、窓枠２の内側に面内方向（窓枠２の幅方向、水平方向）に関する移動可能に建て込まれた外障子３及び内障子４とを備えている。
【００１８】
窓枠２は、面内方向に配置されて上辺を構成する上枠５と、同じく面内方向に配置されて下辺を構成する下枠６と、鉛直方向に配置されて左右の縦辺を構成する１対の竪枠７ａ、７ｂとを備えている。そして、上枠５及び下枠６の面内方向両端部と１対の竪枠７ａ、７ｂの上下方向両端部とを、それぞれタッピングねじなどを用いて連結することにより、窓枠２を矩形枠（角部が直角状である四角枠）状に構成している。
【００１９】
本例では、窓装置１の断熱性能を高めるべく、窓枠２の面外方向中間部に、複数の断熱材８ａ１（８ａ２）〜８ｄ１（８ｄ２）により構成される、矩形枠状の枠側断熱ライン９を設けている。このために、上枠５、下枠６、及び、１対の竪枠７ａ、７ｂのそれぞれを、アルミニウム合金製の室外側フレーム（室外側枠材）及び室内側フレーム（室内側枠材）を、合成樹脂製の断熱材によって面外方向に連結した連結構造としている。
【００２０】
アルミニウム合金としては、例えば、Ａ６０６３Ｓ−Ｔ５材（ＪＩＳ Ｈ ４１００）、すなわち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。また、断熱材８ａ１（８ａ２）〜８ｄ１（８ｄ２）を構成する合成樹脂としては、ポリアミド６（ナイロン６）や、これにガラス繊維を含有したものなどを利用できる。
次に、窓枠２を構成する枠材ごとに、構造を具体的に説明する。
【００２１】
［上枠５の構造］
上枠５は、窓枠２の上辺を構成し、面内方向（図１の左右方向、図２の表裏方向）に配置されている。上枠５は、図２に示したように、それぞれがアルミニウム合金製である、室外側に配置された室外側上枠１０及び室内側に配置された室内側上枠１１を、上下方向に離隔する状態で互いに平行に配置された、合成樹脂製で帯状（板状）の１対の断熱材８ａ１、８ａ２により、面外方向（図１の表裏方向、図２の左右方向）に連結することにより構成されている。
【００２２】
このために、面外方向に対向する室外側上枠１０の室内側面と室内側上枠１１の室外側面とに、それぞれ上下方向に間隔をあけて係止凹溝１２ａ、１２ｂを形成している。そして、断熱材８ａ１、８ａ２のそれぞれの幅方向（面外方向）両端部を、互いに整合する位置に設けられた係止凹溝１２ａ、１２ｂ同士の間に挿入した状態で、これら係止凹溝１２ａ、１２ｂの上下方向幅を縮める（かしめる）ことで、室外側上枠１０と室内側上枠１１とを断熱材８ａ１、８ａ２を介して連結している。本例では、室外側上枠１０、室内側上枠１１及び１対の断熱材８ａ１、８ａ２が、上枠５の全長にわたり設けられている。
【００２３】
室外側上枠１０には、外障子３の上辺を案内するための上部外レール１３が設けられている。これに対し、室内側上枠１１には、内障子４の上辺を案内するための上部内レール１４が設けられている。
【００２４】
１対の断熱材８ａ１、８ａ２は、上枠５の面外方向中央部に位置しており、かつ、外障子３及び内障子４の上方（面外方向に関して外障子３及び内障子４とそれぞれ整合する部分）に配置されている。１対の断熱材８ａ１、８ａ２の間には、スポンジ状の発泡ポリエチレン１５が配置されている。
【００２５】
上部外レール１３と上部内レール１４との間部分には、下方に位置する断熱材８ａ１を下方から覆うように、上枠カバー１６が配置されている。上枠カバー１６は、硬質の塩化ビニル（ＰＶＣ）製で、断面略Ｔ字形に構成されており、室外側上枠１０の下面に支持されている。具体的には、上枠カバー１６は、その室外側端部を室外側上枠１０の下面に形成された係合溝１７に係合させるとともに、その室内側端部を室内側上枠１１の下面に対して下方からねじ９０で固定することで、室外側上枠１０に支持されている。本例では、上枠カバー１６の下端部が、面外方向に関して、外障子３の上端部の室内側面と内障子４の上端部の室外側面との間に進入している。
【００２６】
［下枠６の構造］
下枠６は、窓枠２の下辺を構成し、面内方向（図１、図４及び図５の左右方向、図２及び図３の表裏方向）に配置されている。下枠６は、図２、図３、図６及び図７に示すように、それぞれがアルミニウム合金製である、室外側に配置された室外側下枠１８及び室内側に配置された室内側下枠１９を、上下方向に互いに離隔した状態で配置された、合成樹脂製で帯状の１対の断熱材８ｂ１、８ｂ２により、面外方向に連結することにより構成されている。
【００２７】
このために、面外方向に対向する室外側下枠１８の室内側面と室内側下枠１９の室外側面とに、それぞれ上下方向に間隔をあけて係止凹溝２０ａ、２０ｂを形成している。そして、断熱材８ｂ１、８ｂ２のそれぞれの幅方向（面外方向）両端部を、互いに整合する位置に設けられた係止凹溝２０ａ、２０ｂ同士の間に挿入した状態で、これら係止凹溝２０ａ、２０ｂの上下方向幅を縮めることで、室外側下枠１８と室内側下枠１９とを断熱材８ｂ１、８ｂ２を介して連結している。室外側下枠１８、室内側下枠１９及び１対の断熱材８ｂ１、８ｂ２は、下枠６の全長にわたり設けられている。
【００２８】
室外側下枠１８は、断面略矩形状の室外下枠本体２１と、外障子３の下辺を案内するための下部外レール２２ａを有する断面逆Ｙ字形の外レール部材２２とを、ねじ２３により結合することで構成されている。具体的には、室外下枠本体２１の室外側部の上面に、外レール部材２２をねじ２３により固定している。このため、室外下枠本体２１の室内側部は、外レール部材２２よりも下方に位置している。これに対し、室内側下枠１９は、全体が一体的に形成されており、断面略矩形状の室内下枠本体２４の上面の室内側部分に、内障子４の下辺を案内するための下部内レール２５が一体的に設けられている。また、室内側下枠１９の室内側端部には、室内下枠本体２４の上面の室内側端部に連続する状態で、断面クランク形の室内側立壁２６が設けられている。断熱材８ｂ１、８ｂ２の幅方向両端部を係止するための係止凹溝２０ａ、２０ｂは、室外下枠本体２１の室内側面及び室内下枠本体２４の室外側面に、それぞれ形成されている。
【００２９】
１対の断熱材８ｂ１、８ｂ２は、下枠６の面外方向中央部に位置しており、かつ、外障子３及び内障子４の下方（面外方向に関して外障子３及び内障子４とそれぞれ整合する部分）に配置されている。このため、本例では、室外側下枠１８の室内側端部よりも、外障子３の下端部（下框５０）の室内側端部のほうが、室内側に位置している。また、室外下枠本体２１の上面及び室内下枠本体２４の上面は、それぞれ略水平に配置されているが、室外下枠本体２１の上面の方が、室内下枠本体２４の上面よりも下方に位置している。このため、室外下枠本体２１の上面と室内下枠本体２４の上面とを面外方向に連続させるように設けられた、断熱材８ｂ１の上面は、室外側に向かうほど下方に向かう方向に傾斜している。
【００３０】
［下枠カバー２７の構造］
特に本例では、下枠６を構成する断熱材８ｂ１が冷やされることを防止するとともに、下枠６によって外障子３の下端部の室内側部分が冷やされることを防止するため、下部外レール２２ａと下部内レール２５との間部分に、上方に位置する断熱材８ｂ１を上方から覆うように、下枠カバー２７を配置している。下枠カバー２７は、面内方向に関して外障子３が閉鎖状態で位置する片側半部（図１、図４及び図５の左側半部）に配置された第１下枠カバー２８と、面内方向に関して内障子４が閉鎖状態で位置する他側半部（図１、図４及び図５の右側半部）に配置された第２下枠カバー２９とから構成されている。本例では、第１下枠カバー２８と第２下枠カバー２９とを面内方向に連続させずに、下枠６の面内方向中央部で、かつ、面内方向に関して第１下枠カバー２８と第２下枠カバー２９との間に、隙間３０を設けている。隙間３０は、雨水などを下枠６の上面に導くための排水口として機能する。ただし、隙間３０は、外障子３及び内障子４の閉鎖状態で、外障子３及び内障子４を構成するそれぞれの召し合わせ框５１、７１の下方に位置しており、外部に露出することはない。なお、第１下枠カバー２８と第２下枠カバー２９とは、面内方向に直接又は風止め部材などの別の部材を介して連続させることもできる。
【００３１】
第１下枠カバー２８と第２下枠カバー２９は、少なくともアルミニウム合金製の第１室内側下枠カバー片３２と第２室外側下枠カバー片３３とをそれぞれ備えている。本例では、第１下枠カバー２８を、室外側に配置された塩化ビニル（ＰＶＣ）製の第１室外側下枠カバー片３１と、室内側に配置されたアルミニウム合金製の第１室内側下枠カバー片３２とから構成している。これに対し、第２下枠カバー２９を、室外側に配置されたアルミニウム合金製の第２室外側下枠カバー片３３と、室内側に配置された塩化ビニル製の第２室内側下枠カバー片３４とから構成している。なお、塩化ビニル製の第１室外側下枠カバー片３１と第２室内側下枠カバー片３４は、下枠６の上面にごみが溜まることを防止する機能と、後述する固定ブロック３５、３６やねじなどを隠す化粧材としての機能も有する。本例では、下枠６の面内方向片側半部と他側半部とで、塩化ビニル製の下枠カバー片とアルミニウム合金製の下枠カバー片との、面外方向に関する取付位置が反対になっている。このような構成により、外障子３の下方に、熱伝導率の高いアルミニウム合金製の第１室内側下枠カバー片３２を配置することなく、熱伝導率の低い塩化ビニル製の第１室外側下枠カバー片３１を配置するとともに、この第１室外側下枠カバー片３１が外気により冷やされることを防止している。また、内障子４の下方に、熱伝導率の低い塩化ビニル製の第２室内側下枠カバー片３４を配置するようにしている。
【００３２】
第１下枠カバー２８は、図２、図５及び図６に示すように、複数（図示の例では３個）の第１固定ブロック３５を介して下枠６の上面に支持されている。これに対し、第２下枠カバー２９は、図３、図５及び図７に示すように、複数（図示の例では３個）の第２固定ブロック３６を介して、下枠６の上面に支持されている。
【００３３】
第１室外側下枠カバー片３１は、塩化ビニル製で、図６に示すように、底板部３１ａと、底板部３１ａの室外側端部に設けられた断面逆Ｌ字形の覆い部３１ｂと、底板部３１ａの室内側端部に設けられた折れ曲がり部３１ｃとを備えている。
【００３４】
第１室内側下枠カバー片３２は、アルミニウム合金製で、図６に示すように、水平板状の底板部３２ａと、底板部３２ａの室外側端部に設けられた室外側立壁３２ｂと、底板部３２ａの面外方向中間部の下面から下方に伸長した１対の垂下板部３２ｃ、３２ｄとを備えている。また、室外側立壁３２ｂには、室外側に開口したアリ溝状のシール凹溝３２ｅと、下方に開口した係止凹溝３２ｆとが設けられている。
【００３５】
第１下枠カバー２８を、下枠６に対して取り付けるには、第１室内側下枠カバー片３２
を下枠６にセットしたのち、第１室外側下枠カバー片３１を下枠６に取り付ける。具体的には、第１室内側下枠カバー片３２のうち、底板部３２ａの下面（室外側の垂下板部３２ｃを含む）を第１固定ブロック３５の上面に載置し、かつ、室内側の垂下板部３２ｄを室内側下枠１９の上面に直接載置する。この状態で、第１室内側下枠カバー片３２の底板部３２ａの室内側端部を、室内側下枠１９のうち、下部内レール２５の室外側面から水平方向に突出した張出板部２５ａに対し、ねじ３７により固定する。次いで、第１室内側下枠カバー片３２の係止凹溝３２ｆに対して、第１室外側下枠カバー片３１の折れ曲がり部３１ｃを下方から係合しつつ回転（図２、図６において反時計回り）させて、底板部３１ａの下面を第１固定ブロック３５の室外側部の上面に載置するとともに、底板部３１ａの室外側端部に設けられた覆い部３１ｂにより、室外側下枠１８を構成する外レール部材２２の室内側端部を上方から覆う。
【００３６】
上述のように第１下枠カバー２８を下枠６に取り付けた状態で、第１室外側下枠カバー片３１の室外側半部は、室外下枠本体２１の室内側半部を上方から覆っており、かつ、第１室外側下枠カバー片３１の室内側半部は、断熱材８ｂ１の室外側半部を上方から覆っている。また、第１室内側下枠カバー片３２の室外側半部は、断熱材８ｂ１の室内側半部を上方から覆っており、かつ、第１室内側下枠カバー片３２の室内側半部は、室内下枠本体２４の室外側半部を上方から覆っている。なお、第１室内側下枠カバー片３２の長さ寸法は、第１室外側下枠カバー片３１の長さ寸法と同じであるが、第１室内側下枠カバー片３２の幅寸法は、第１室外側下枠カバー片３１の幅寸法よりも大きい。
【００３７】
本例では、第１室内側下枠カバー片３２の上面のうち、室外側立壁３２ｂよりも室内側部分を、アルミニウム合金製の補助カバー３８により覆っている。これにより、ねじ３７の頭部が、外部に露出しないようにしている。また、補助カバー３８の長さ寸法は、第１室内側下枠カバー片３２の長さ寸法よりも、後述する室外側風止め板４０の分だけ短い。
【００３８】
一方、第２室外側下枠カバー片３３は、アルミニウム合金製で、図７に示すように、断面略クランク形に構成されており、段差板部３３ａと、段差板部３３ａの下端部から室外側に折れ曲がった室外側底板部３３ｂと、段差板部３３ａの上端部から室内側に折れ曲がった室内側底板部３３ｃとを備えている。また、段差板部３３ａの上下方向中間部には、室内側に向けて突出した突条部３３ｄが設けられている。また、室外側底板部３３ｂの下面には、断面Ｌ字形の係止部３３ｅが設けられている。
【００３９】
第２室内側下枠カバー片３４は、塩化ビニル製で、図７に示すように、底板部３４ａと、底板部３４ａの室外側端部に設けられた折れ曲がり部３４ｂと、底板部３４ａの室内側端部に設けられた断面逆Ｌ字形の突き当て部３４ｃとを備えている。
【００４０】
第２下枠カバー２９を、下枠６に対して取り付けるには、第２室内側下枠カバー片３４を下枠６にセットしたのち、第２室外側下枠カバー片３３を下枠６にセットする。具体的には、第２室内側下枠カバー片３４のうち、底板部３４ａの下面を第２固定ブロック３６の室内側部の上面に載置するとともに、突き当て部３４ｃを、室内側下枠１９を構成する下部内レール２５の室外側面に突き当てる（圧入する）。次いで、第２室外側下枠カバー片３３の突条部３３ｄ及び係止部３３ｅを、第２固定ブロック３６に係止した状態で、第２室外側下枠カバー片３３のうち、室外側底板部３３ｂ及び室内側底板部３３ｃの下面を、第２固定ブロック３６の上面に載置するとともに、室外側底板部３３ｂの室外側端部に設けられた覆い部３３ｆにより、室外側下枠１８を構成する外レール部材２２の室内側端部を上方から覆う。また、第２室外側下枠カバー片３３の室内側端部が、第２室内側下枠カバー片３４の折れ曲がり部３４ｂの上端部を上方から覆う。なお、第２室外側下枠カバー片３３を先に第２固定ブロック３６に係止した後に、第２室内側下枠カバー片３４を圧入することもできる。
【００４１】
上述のように第２下枠カバー２９を下枠６に取り付けた状態で、第２室外側下枠カバー片３３の室外側半部は、室外下枠本体２１の室内側半部を上方から覆っており、かつ、第２室外側下枠カバー片３３の室内側半部は、断熱材８ｂ１の室外側半部を上方から覆っている。また、第２室内側下枠カバー片３４の室外側半部は、断熱材８ｂ１の室内側半部を上方から覆っており、かつ、第２室内側下枠カバー片３４の室内側半部は、室内下枠本体２４の室外側半部を上方から覆っている。特に本例では、図３に示すように、内障子４の下框７０を構成する室外側下框８０の下端に設けたシール材９１を、第２室外側下枠カバー片３３の室内側底板部３３ｃに接触させることで外気を遮断している。よって、第２室外側下枠カバー片３３は、断熱材８ｂ１を直接外気に曝さないことで断熱材自体の温度変化を小さく抑えるとともに、下框７０の下端における気密性及び水密性を確保している。なお、第２室内側下枠カバー片３４の長さ寸法は、第２室外側下枠カバー片３３の長さ寸法と同じであるが、第２室内側下枠カバー片３４の幅寸法は、第２室外側下枠カバー片３３の幅寸法よりも小さい。また、第２室外側下枠カバー片３３を構成する段差板部３３ａの室外側面は、第１室内側下枠カバー片３２を構成する室外側立壁３２ｂの室外側端面と同一平面上に位置している。
【００４２】
［第１固定ブロック３５の構造］
第１固定ブロック３５は、第１下枠カバー２８を下枠６の上面に支持するためのもので、下枠６の面内方向片側半部に、面内方向に関して等間隔に複数（図示の例では３つ）配置されている。第１固定ブロック３５は、ポリアミド６製で、室外側下枠１８の上面と室内側下枠１９の上面とに架け渡されるように配置されている。
【００４３】
第１固定ブロック３５は、断熱材８ｂ１の上方に位置し、かつ、室外側に向かうほど下方に向かう方向に傾斜した傾斜部３５ａと、傾斜部３５ａの室外側に配置された室外側部３５ｂと、傾斜部３５ａの室内側に配置された室内側部３５ｃとを備えている。傾斜部３５ａの室内側端部の上面の面内方向（幅方向）両側には、１対の第１切り欠き３５ｄが設けられている。また、室内側部３５ｃの上面の面内方向両側には、１対の第２切り欠き３５ｅが設けられている。このような第１固定ブロック３５は、下枠６に対して直接固定されておらず、第１室内側下枠カバー片３２を、第１固定ブロック３５の上方から下枠６にねじ３７により固定することで、第１室内側下枠カバー片３２と室外下枠本体２１との間で面外方向に挟持されている。
【００４４】
［第２固定ブロック３６の構造］
第２固定ブロック３６は、第２下枠カバー２９を下枠６の上面に支持するためのもので、下枠６の面内方向他側半部に、面内方向に関して等間隔に複数（図示の例では３つ）配置されている。第２固定ブロック３６は、ポリアミド６製で、全体が逆Ｔ字形に構成されており、室外側下枠１８の上面と室内側下枠１９の上面とに架け渡されるように配置されている。
【００４５】
第２固定ブロック３６は、室外側下枠１８の上面と室内側下枠１９の上面とに架け渡された基部３６ａと、基部３６ａの上面の面外方向中間部から上方に突出した突起部３６ｂと、突起部３６ｂの上部から室外側に向けて突出した凸部３６ｃと、基部３６ａの室内側端部に設けられた張出板部３６ｄとを備えている。このような第２固定ブロック３６は、張出板部３６ｄに形成された通孔３６ｅを挿通したねじ３９を、室内側下枠１９を構成する張出板部２５ａに螺合させることで、室内側下枠１９に対し直接固定されている。本例では、第２固定ブロック３６に対し、第２室外側下枠カバー片３３を係止することで、この第２室外側下枠カバー片３３を利用して、第２室内側下枠カバー片３４の折れ曲がり部３４ｂの浮き上がりを防止している。
【００４６】
［室外側風止め板４０の構造］
第１下枠カバー２８の面内方向中央側の端部には、室外側風止め板４０が設けられている。室外側風止め板４０は、内障子４を閉鎖位置に移動させた状態で、内障子４の召し合わせ框７１の下端部と下枠６との間に生じる隙間を塞ぎ、気密性及び水密性を確保するもので、第１室内側下枠カバー片３２に対し、ねじ４１により固定されている。
【００４７】
室外側風止め板４０は、オレフィン系熱可塑性エラストマーなどの合成樹脂製で、図１０に示すように、鉛直方向に配置された基板部４０ａと、基板部４０ａの上下方向中間部に略直角に配置された取付板部４０ｂと、取付板部４０ｂの上方にかつ取付板部４０ｂと略平行に配置された庇部４０ｃと、取付板部４０ｂの下方に配置された１対の係合凸部４０ｄとを備えている。また、取付板部４０ｂの室内側の端部には、上方に向けて略直角に折れ曲がった折れ曲がり板部４０ｅが設けられている。
【００４８】
このような室外側風止め板４０は、図１１に示すように、第１室内側下枠カバー片３２の面内方向中央側の端部を基板部４０ａに突き当てた状態で、取付板部４０ｂを第１室内側下枠カバー片３２の面内方向中央側の端部上面に載置し、かつ、１対の係合凸部４０ｄを第１固定ブロック３５を構成する第２切り欠き３５ｅに係合させる。そして、取付板部４０ｂに形成された通孔４０ｆを挿通したねじ４１を、第１室内側下枠カバー片３２に螺合させている。この状態で、折れ曲がり板部４０ｅの室内側面が、下部内レール２５の室外側面に接触している。また、庇部４０ｃの上面には、内障子４の召し合わせ框７１の下端部（図示しない別体の気密片）が接触する。本例では、ねじ４１の螺合作業の作業性を向上するために、庇部４０ｃに凹円弧形の切り欠き４０ｇを設けている。
【００４９】
［室内側風止め板４２の構造］
一方、下枠６の面内方向中間部で、かつ、上述のような室外側風止め板４０の室内側には、室内側風止め板４２が設けられている。室内側風止め板４２は、内障子４の召し合わせ框７１の下端部と下枠６との間に生じる隙間を塞いで、気密性及び水密性を確保するもので、図１１に示すように、室内側下枠１９の室内側端部に取り付けられている。
【００５０】
室内側風止め板４２は、図１２に示すように、取付基部４２ａと、取付基部４２ａの室内側の端部上面から上方に突出した垂直板部４２ｂとを備えている。垂直板部４２ｂの室内側面には、上下方向に伸長した複数のヒレ部４２ｃが設けられている。
【００５１】
このような室内側風止め板４２は、室内側下枠１９の室内側端部のうち、室内側立壁２６と下部内レール２５との間部分に圧入されている。取付基部４２ａの上面には、内障子４の召し合わせ框７１の下端部（図示しない別体の気密片）が接触する。複数のヒレ部４２ｃは、内障子４の召し合わせ框７１の室内側面に接触して、気密性及び水密性を確保する。
【００５２】
［竪枠７ａ、７ｂの構造］
左右の竪枠７ａ、７ｂのうち、面内方向に関して片側（図１、図４及び図５の左側）に配置された竪枠７ａは、それぞれがアルミニウム合金製である室外側に配置された第１室外側竪枠４３及び室内側に配置された第１室内側竪枠４４を、面内方向に離隔する状態で互いに平行に配置された、合成樹脂製で帯状の１対の断熱材８ｃ１、８ｃ２により、面外方向に連結することにより構成されている。
【００５３】
このために、面外方向に対向する第１室外側竪枠４３の室内側面と第１室内側竪枠４４の室外側面とに、それぞれ面内方向に間隔をあけて係止凹溝４５ａ、４５ｂを形成している。そして、断熱材８ｃ１、８ｃ２のそれぞれの幅方向両端部を、互いに整合する位置に設けられた係止凹溝４５ａ、４５ｂ同士の間に挿入した状態で、これら係止凹溝４５ａ、４５ｂの面内方向幅を縮めることで、第１室外側竪枠４３と第１室内側竪枠４４とを断熱材８ｃ１、８ｃ２を介して連結している。本例の場合には、このような状態で、断熱材８ｃ１、８ｃ２が、外障子３の側方（面外方向に関して外障子３と整合する室外寄り部分）に配置されている。
【００５４】
左右の竪枠７ａ、７ｂのうち、面内方向に関して他側（図１、図４及び図５の右側）に配置された竪枠７ｂは、それぞれがアルミニウム合金製である室外側に配置された第２室外側竪枠４６及び室内側に配置された第２室内側竪枠４７を、面内方向に離隔する状態で互いに平行に配置された、合成樹脂製で帯状の１対の断熱材８ｄ１、８ｄ２により、面外方向に連結することにより構成されている。
【００５５】
このために、面外方向に対向する第２室外側竪枠４６の室内側面と第２室内側竪枠４７の室外側面とに、それぞれ面内方向に間隔をあけて係止凹溝４８ａ、４８ｂを形成している。そして、断熱材８ｄ１、８ｄ２のそれぞれの幅方向両端部を、互いに整合する位置に設けられた係止凹溝４８ａ、４８ｂ同士の間に挿入した状態で、これら係止凹溝４８ａ、４８ｂの面内方向幅を縮めることで、第２室外側竪枠４６と第２室内側竪枠４７とを断熱材８ｄ１、８ｄ２を介して連結している。本例の場合には、このような状態で、断熱材８ｄ１、８ｄ２が、内障子４の側方（面外方向に関して内障子４と整合する室内寄り部分）に配置されている。
【００５６】
上述のような各枠材を連結することで構成される本例の窓枠２には、四方に配置された断熱材８ａ１（８ａ２）、８ｂ１（８ｂ２）、８ｃ１（８ｃ２）、８ｄ１（８ｄ２）により構成される枠側断熱ライン９が形成されている。特に本例では、下方に配置された断熱材８ｂ１（８ｂ２）を下枠カバー２７により覆っており、下枠６の面内方向中央部（隙間３０部分）を除いて、断熱材８ｂ１（８ｂ２）を露出させていない。
【００５７】
本例の特徴は、下枠６の上面を下枠カバー２７により覆う点にあるが、このような下枠６を含んで構成される窓枠２の内側に、面内方向に移動可能に建て込まれる外障子３及び内障子４の構造について、以下、それぞれ具体的に説明する。
【００５８】
［外障子３の全体構造］
外障子３は、上辺を構成する上框４９と、下辺を構成する下框５０と、それぞれが左右の縦辺を構成する縦框である召し合わせ框５１及び戸先框５２とにより、矩形板状のガラスパネル５３の四辺を囲むことにより構成されている。また、ガラスパネル５３の三方を取り囲むように、外障子３を構成する各框４９〜５２により構成される框枠体５４に、複数の断熱材５５ａ１（５５ａ２）〜５５ｃ１（５５ｃ２）により構成された框側断熱ライン５６ａを設けている。そして、このために、框枠体５４を構成する上框４９、下框５０及び戸先框５２のそれぞれを、アルミニウム合金製の室外側フレーム（室外側框材）及び室内側フレーム（室内側框材）を、合成樹脂製の断熱材によって面外方向に連結した連結構造としている。また、断熱性能の向上を図るべく、框側断熱ライン５６ａの面外方向に関する形成位置を、窓枠２に設けられた枠側断熱ライン９と重畳させている。具体的には、外障子３の面外方向室内側に框側断熱ライン５６ａを形成している。なお、このため、戸車６５は面外方向室外側に設けられている。
なお、框枠体５４を構成する各框４９〜５２に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル５３として、複層（３層）ガラスを使用した例を示しているが、２層ガラスや断熱性能を有する単層ガラスを使用することもできる。
【００５９】
［外障子３を構成する上框４９の構造］
上框４９は、図２に示すように、それぞれがアルミニウム合金製である、室外側に配置された室外側上框５７及び室内側に配置された室内側上框５８を、上下方向に離隔する状態で互いに平行に配置された合成樹脂製で帯状の１対の断熱材５５ａ１、５５ａ２により、面外方向に連結することにより構成されている。
【００６０】
このために、面外方向に対向する室外側上框５７の室内側面と室内側上框５８の室外側面とに、それぞれ上下方向に間隔をあけて係止凹溝５９ａ、５９ｂを形成している。そして、断熱材５５ａ１、５５ａ２のそれぞれの幅方向両端部を、互いに整合する位置に設けられた係止凹溝５９ａ、５９ｂ同士の間に挿入した状態で、これら係止凹溝５９ａ、５９ｂの上下方向幅を縮めることで、室外側上框５７と室内側上框５８とを断熱材５５ａ１、５５ａ２を介して連結している。本例では、このような状態で、上框４９の下端部に、ガラスパネル５３の上辺が挿入されるガラス溝６０ａが設けられている。また、断熱材５５ａ１、５５ａ２は、ガラスパネル５３の上方（面外方向に関してガラスパネル５３と整合する部分）に配置されており、下方に配置された断熱材５５ａ１は、ガラス溝６０ａの底部の一部（室内側半部）を構成している。また、室外側上框５７の上端部には、上面に開口する状態で、上部外レール１３と係合可能な上部外案内溝６１が設けられている。
【００６１】
［外障子３を構成する下框５０の構造］
下框５０は、図２に示すように、それぞれがアルミニウム合金製である、室外側に配置された室外側下框６２及び室内側に配置された、室内側下框６３を、上下方向に離隔する状態で互いに平行に配置された合成樹脂製で帯状の１対の断熱材５５ｂ１、５５ｂ２により、面外方向に連結することにより構成されている。
【００６２】
このために、面外方向に対向する室外側下框６２の室内側面と室内側下框６３の室外側面とに、それぞれ上下方向に間隔をあけて係止凹溝６４ａ、６４ｂを形成している。そして、断熱材５５ｂ１、５５ｂ２のそれぞれの幅方向両端部を、互いに整合する位置に設けられた係止凹溝６４ａ、６４ｂ同士の間に挿入した状態で、これら係止凹溝６４ａ、６４ｂの上下方向幅を縮めることで、室外側下框６２と室内側下框６３とを断熱材５５ｂ１、５５ｂ２を介して連結している。本例では、このような状態で、下框５０の上端部に、ガラスパネル５３の下辺が挿入されるガラス溝６０ｂが設けられている。また、断熱材５５ｂ１、５５ｂ２は、ガラスパネル５３の下方（面外方向に関してガラスパネル５３と整合する部分）に配置されており、上方に配置された断熱材５５ｂ１は、ガラス溝６０ｂの底部の一部（室内側半部）を構成している。また、室外側下框６２には、下部外レール２２ａと係合可能な戸車６５が設けられている。
【００６３】
［外障子３を構成する召し合わせ框５１の構造］
召し合わせ框５１は、図４に示すように、全体がアルミニウム合金製で、外障子３を構成するその他の框枠材４９、５０、５２のように、断熱材を備えていない。召し合わせ框５１の面内方向に関する片側端部には、ガラスパネル５３の側辺を挿入するためのガラス溝６０ｃが設けられている。
【００６４】
［外障子３を構成する戸先框５２の構造］
戸先框５２は、図４に示すように、それぞれがアルミニウム合金製である、室外側に配置された室外側戸先框６６及び室内側に配置された室内側戸先框６７を、面内方向に離隔する状態で互いに平行に配置された、合成樹脂製で帯状の１対の断熱材５５ｃ１、５５ｃ２により、面外方向に連結することにより構成されている。
【００６５】
このために、面外方向に対向する室外側戸先框６６の室内側面と室内側戸先框６７の室外側面とに、それぞれ面内方向に間隔をあけて係止凹溝６８ａ、６８ｂを形成している。そして、断熱材５５ｃ１、５５ｃ２のそれぞれの幅方向両端部を、互いに整合する位置に設けられた係止凹溝６８ａ、６８ｂ同士の間に挿入した状態で、これら係止凹溝６８ａ、６８ｂの面内方向幅を縮めることで、室外側戸先框６６と室内側戸先框６７とを断熱材５５ｃ１、５５ｃ２を介して連結している。本例では、このような状態で、戸先框５２の面内方向に関する他側端部に、ガラスパネル５３の側辺が挿入されるガラス溝６０ｄが設けられている。また、断熱材５５ｃ１、５５ｃ２は、ガラスパネル５３の側方（面外方向に関してガラスパネル５３と整合する部分）に配置されており、面内方向に関して他側に配置された断熱材５５ｃ１は、ガラス溝６０ｄの底部の一部を構成している。
【００６６】
［内障子４の全体構造］
内障子４は、上辺を構成する上框６９と、下辺を構成する下框７０と、それぞれが左右の縦辺を構成する縦框である召し合わせ框７１及び戸先框７２とにより、矩形板状のガラスパネル７３の四辺を囲むことにより構成されている。また、本例では、ガラスパネル７３の周囲を取り囲むように、内障子４を構成する各框６９〜７２により構成される框枠体７４に、複数の断熱材５５ｄ１（５５ｄ２）〜５５ｇ１（５５ｇ２）により構成された框側断熱ライン５６ｂを設けている。そして、このために、框枠体７４を構成する上框６９、下框７０、召し合わせ框７１及び戸先框７２のそれぞれを、アルミニウム合金製の室外側フレーム（室外側框材）及び室内側フレーム（室内側框材）を、合成樹脂製の断熱材によって面外方向に連結した連結構造としている。また、断熱性能の向上を図るべく、框側断熱ライン５６ｂの面外方向に関する形成位置を、窓枠２に設けられた枠側断熱ライン９と重畳させている。具体的には、内障子４の面外方向室外側に框側断熱ライン５６ｂを形成している。なお、このため、戸車６５は面外方向室内側に設けられている。
なお、框枠体７４を構成する各框６９〜７２に関しても、アルミニウム合金として、例えば、Ａ６０６３Ｓ−Ｔ５材（ＪＩＳ Ｈ ４１００）を使用することができ、断熱材を構成する合成樹脂としては、ポリアミド６（ナイロン６）や、これにガラス繊維を含有したものなどを利用できる。また、図示の例では、ガラスパネル７３として、複層（３層）ガラスを使用した例を示しているが、２層ガラスや断熱性能を有する単層ガラスを使用することもできる。
【００６７】
［内障子４を構成する上框６９の構造］
上框６９は、図２に示すように、それぞれがアルミニウム合金製である、室外側に配置された室外側上框７５及び室内側に配置された室内側上框７６を、上下方向に離隔する状態で互いに平行に配置された、合成樹脂製で帯状の１対の断熱材５５ｄ１、５５ｄ２により、面外方向に連結することにより構成されている。
【００６８】
このために、面外方向に対向する室外側上框７５の室内側面と室内側上框７６の室外側面とに、それぞれ上下方向に間隔をあけて係止凹溝７７ａ、７７ｂを形成している。そして、断熱材５５ｄ１、５５ｄ２のそれぞれの幅方向両端部を、互いに整合する位置に設けられた係止凹溝７７ａ、７７ｂ同士の間に挿入した状態で、これら係止凹溝７７ａ、７７ｂの上下方向幅を縮めることで、室外側上框７５と室内側上框７６とを断熱材５５ｄ１、５５ｄ２を介して連結している。本例では、このような状態で、上框６９の下端部に、ガラスパネル７３の上辺が挿入されるガラス溝７８ａが設けられている。また、断熱材５５ｄ１、５５ｄ２は、ガラスパネル７３の上方（面外方向に関してガラスパネル７３と整合する部分）に配置されており、下方に配置された断熱材５５ｄ１は、ガラス溝７８ａの底部の一部（室外側半部）を構成している。また、室内側上框７６の上端部には、上面に開口する状態で、上部内レール１４と係合可能な上部内案内溝７９が設けられている。
【００６９】
［内障子４を構成する下框７０の構造］
下框７０は、図２に示すように、それぞれがアルミニウム合金製である、室外側に配置された室外側下框８０及び室内側に配置された室内側下框８１を、上下方向に離隔する状態で互いに平行に配置された、合成樹脂製で帯状の１対の断熱材５５ｅ１、５５ｅ２により、面外方向に連結することにより構成されている。
【００７０】
このために、面外方向に対向する室外側下框８０の室内側面と室内側下框８１の室外側面とに、それぞれ上下方向に間隔をあけて係止凹溝８２ａ、８２ｂを形成している。そして、断熱材５５ｅ１、５５ｅ２のそれぞれの幅方向両端部を、互いに整合する位置に設けられた係止凹溝８２ａ、８２ｂ同士の間に挿入した状態で、これら係止凹溝８２ａ、８２ｂの上下方向幅を縮めることで、室外側下框８０と室内側下框８１とを断熱材５５ｅ１、５５ｅ２を介して連結している。本例では、このような状態で、下框７０の上端部に、ガラスパネル７３の下辺が挿入されるガラス溝７８ｂが設けられている。また、断熱材５５ｅ１、５５ｅ２は、ガラスパネル７３の下方（面外方向に関してガラスパネル７３と整合する部分）に配置されており、上方に配置された断熱材５５ｅ１は、ガラス溝７８ｂの底部の一部（室外側半部）を構成している。また、室内側下框８１には、下部内レール２５と係合可能な戸車６５が設けられている。
【００７１】
［内障子４を構成する召し合わせ框７１の構造］
召し合わせ框７１は、図４に示すように、それぞれがアルミニウム合金製である、室外側に配置された室外側召し合わせ框８３及び室内側に配置された室内側召し合わせ框８４を、面内方向に離隔する状態で互いに平行に配置された、合成樹脂製で帯状の１対の断熱材５５ｆ１、５５ｆ２により、面外方向に連結する事により構成されている。
【００７２】
このために、面外方向に対向する室外側召し合わせ框８３の室内側面と室内側召し合わせ框８４の室外側面とに、それぞれ面内方向に間隔をあけて係止凹溝８５ａ、８５ｂを形成している。そして、断熱材５５ｆ１、５５ｆ２のそれぞれの幅方向両端部を、互いに整合する位置に設けられた係止凹溝８５ａ、８５ｂ同士の間に挿入した状態で、これら係止凹溝８５ａ、８５ｂの面内方向幅を縮めることで、室外側召し合わせ框８３と室内側召し合わせ框８４とを断熱材５５ｆ１、５５ｆ２を介して連結している。本例では、このような状態で、召し合わせ框７１の面内方向に関する片側端部に、ガラスパネル７３の側辺が挿入されるガラス溝７８ｃが設けられている。また、断熱材５５ｆ１、５５ｆ２は、ガラスパネル７３の側方（面外方向に関してガラスパネル７３と整合する部分）に配置されており、面内方向に関して片側に配置された断熱材５５ｆ１は、ガラス溝７８ｃの底部の一部を構成している。
【００７３】
［内障子４を構成する戸先框７２の構造］
戸先框７２は、図４に示したように、それぞれがアルミニウム合金製である、室外側に配置された室外側戸先框８６及び室内側に配置された室内側戸先框８７を、面内方向に離隔する状態で互いに平行に配置された、合成樹脂製で帯状の１対の断熱材５５ｇ１、５５ｇ２により、面外方向に連結することにより構成されている。
【００７４】
このために、面外方向に対向する室外側戸先框８６の室内側面と室内側戸先框８７の室外側面とに、それぞれ面内方向に間隔をあけて係止凹溝８８ａ、８８ｂを形成している。そして、断熱材５５ｇ１、５５ｇ２のそれぞれの幅方向両端部を、互いに整合する位置に設けられた係止凹溝８８ａ、８８ｂ同士の間に挿入した状態で、これら係止凹溝８８ａ、８８ｂの面内方向幅を縮めることで、室外側戸先框８６と室内側戸先框８７とを断熱材５５ｇ１、５５ｇ２を介して連結している。本例では、このような状態で、戸先框７２の面内方向に関する他側端部に、ガラスパネル７３の側辺が挿入されるガラス溝７８ｄが設けられている。また、断熱材５５ｇ１、５５ｇ２は、ガラスパネル７３の側方（面外方向に関してガラスパネル７３と整合する部分）に配置されており、面内方向に関して他側に配置された断熱材５５ｇ１は、ガラス溝７８ｄの底部の一部を構成している。
【００７５】
本例の窓装置１では、窓枠２の内側に上述のような外障子３及び内障子４を建て込んだ状態で、閉鎖位置に存在する外障子３の下方には、第１下枠カバー２８を構成する塩化ビニル製の第１室外側下枠カバー片３１が配置されており、閉鎖位置に存在する内障子４の下方には、第２下枠カバー２９を構成する塩化ビニル製の第２室内側下枠カバー片３４が配置されている。また、下枠６の面内方向中央部に開口した隙間３０は、外障子３を構成する召し合わせ框５１の下端部及び内障子４を構成する召し合わせ框７１の下端部により覆われている。一方、第１下枠カバー２８を構成するアルミニウム合金製の第１室内側下枠カバー片３２は、外障子３よりも室内側に位置しており、第２下枠カバー２９を構成するアルミニウム合金製の第２室外側下枠カバー片３３は、内障子４よりも室外側に位置している。本例では、第１室内側下枠カバー片３２の室外側立壁３２ｂに設けられたシール凹溝３２ｅにシール材８９を係止しており、該シール材８９の先端部を、外障子３を構成する下框５０の室内側面に接触させている。
【００７６】
以上のような構成を有する本例の窓装置１によれば、アルミニウム合金製の室外側下枠１８とアルミニウム合金製の室内側下枠１９とを、合成樹脂製の断熱材８ｂ１、８ｂ２により連結した連結構造を有する下枠６に関して、断熱性能の更なる向上を図れる。
すなわち、本例では、下枠６を構成する断熱材８ｂ１の上方に、少なくともアルミニウム合金製の第１室内側下枠カバー片３２を有する第１下枠カバー２８と、少なくともアルミニウム合金製の第２室外側下枠カバー片３３を有する第２下枠カバー２９とを配置し、断熱材８ｂ１を下枠カバー２７により覆っているため、断熱材８ｂ１の温度変化を小さく抑えることができ、断熱材８ｂ１による断熱性能を高く確保できる。このため、下枠６の断熱性能の更なる向上を図れる。
【００７７】
また、本例では、下枠６を構成する室外側下枠１８の室内側部を、外レール部材２２よりも下方に位置させて、室外側下枠１８の室内側部と外障子３の下辺を構成する下框５０（室内側下框６３）の室内側部分との距離を大きく確保するとともに、閉鎖位置に存在する外障子３の下方に、熱伝導率が高いアルミニウム合金製の第１室内側下枠カバー片３２を配置することなく、熱伝導率の低い塩化ビニル製の第１室外側下枠カバー片３１を配置している。このため、外気に曝らされる室外側下枠１８の温度が、外障子３の下框５０の室内側部分にまで伝わりにくくできる。したがって、室外側下枠１８の表面温度が低くなった場合にも、外障子３の下框５０の室内側部分が冷やされることを防止できる。しかも、第１室外側下枠カバー片３１は、閉鎖状態の外障子３が存在する、下枠６の面内方向片側半部にのみ設けられており、内障子４の室外側に位置する、下枠６の他側半部には設けられていない。このため、第１室外側下枠カバー片３１が、外気により冷却されることを防止できるため、この第１室外側下枠カバー片３１に近接配置される外障子３の下框５０が、第１室外側下枠カバー片３１によって冷やされることを防止できる。したがって、本例では、外障子３を構成する下框５０（室内側下框６３）の室内側部分に、結露が発生することを有効に防止できる。
【００７８】
また、本例では、内障子４の下方に、熱伝導率の低い塩化ビニル製の第２室内側下枠カバー片３４を配置している。このため、第２室外側下枠カバー片３３の温度が低下した場合にも、内障子４の下辺を構成する下框７０（室内側下框８１）の室内側部分、及び、下枠６の面内方向他側半部の室内側部分が、冷やされること防止できる。
【００７９】
また、本例では、断熱材８ｂ１の上面を、室外側に向かうほど下方に向かう方向に傾斜させているため、隙間３０から入り込んだ雨水などが水溜りをすることなく、室外側に向けて効率良く排出することができる。
【００８０】
さらに本例では、窓枠２のうち、外障子３が閉鎖状態で位置する面内方向片側部分と、内障子４が位置する面内方向他側部分とで、共通の枠側断熱ライン９を形成しているが、面内方向片側に位置する竪枠７ａの断熱材８ｃ１（８ｃ２）と、面内方向他側に位置する竪枠７ｂの断熱材８ｄ１（８ｄ２）との、面外方向位置をずらしている。具体的には、面内方向片側に位置する竪枠７ａの断熱材８ｃ１（８ｃ２）は、外障子３と対向する位置に設けているのに対し、面内方向他側に位置する竪枠７ｂの断熱材８ｄ１（８ｄ２）は、内障子４と対向する位置に設けている。加えて、上枠５及び下枠６を構成する断熱材８ａ１（８ａ２）、８ｂ１（８ｂ２）は、竪枠７ａの断熱材８ｃ１（８ｃ２）及び竪枠７ｂの断熱材８ｄ１（８ｄ２）に対してそれぞれ面外方向に整合するように、面外方向中央部に設けている。したがって、本例では、枠側断熱ライン９よりも室外側に存在する各枠材（室外側上枠１０、室外側下枠１８、第１室外側竪枠４３、第２室外側竪枠４６）の温度が外気の温度に近づいた（例えば冷やされた）場合にも、枠側断熱ライン９よりも室内側に存在する各枠材（室内側上枠１１、室内側下枠１９、第１室内側竪枠４４、第２室内側竪枠４７）の温度が、外気の温度に応じて変化することを有効に防止できる。このため、例えば、面外方向に関して外障子と整合する部分にのみ断熱ラインを形成した場合のように、内障子全体が断熱ラインよりも室内側に位置することに起因して、窓枠のうちで内障子を支持した各枠材の室内側部分（室内側フレーム）の温度が、外気の温度に応じて変化し易くなることを防止できる。
【００８１】
本発明は、引き違い式の窓装置に限らず、片引き式の窓装置や両引き式の窓装置に適用することもできる。
【符号の説明】
【００８２】
１    窓装置
２    窓枠
３    外障子
４    内障子
５    上枠
６    下枠
７ａ、７ｂ  竪枠
８ａ１、８ａ２〜８ｄ１、８ｄ２断熱材
９    枠側断熱ライン
１０    室外側上枠
１１    室内側上枠
１２ａ、１２ｂ  係止凹溝
１３    上部外レール
１４    上部内レール
１５    発泡ポリエチレン
１６    上枠カバー
１７    係合溝
１８    室外側下枠
１９    室内側下枠
２０ａ、２０ｂ  係止凹溝
２１    室外下枠本体
２２    外レール部材
２２ａ  下部外レール
２３    ねじ
２４    室内下枠本体
２５    下部内レール
２５ａ  張出板部
２６    室内側立壁
２７    下枠カバー
２８    第１下枠カバー
２９    第２下枠カバー
３０    隙間
３１    第１室外側下枠カバー片
３１ａ  底板部
３１ｂ  覆い部
３１ｃ  折れ曲がり部
３２    第１室内側下枠カバー片
３２ａ  底板部
３２ｂ  室外側立壁
３２ｃ  垂下板部
３２ｄ  垂下板部
３２ｅ  シール凹溝
３２ｆ  係止凹溝
３３    第２室外側下枠カバー片
３３ａ  段差板部
３３ｂ  室外側底板部
３３ｃ  室内側底板部
３３ｄ  突条部
３３ｅ  係止部
３３ｆ  覆い部
３４    第２室内側下枠カバー片
３４ａ  底板部
３４ｂ  折れ曲がり部
３４ｃ  突き当て部
３５    第１固定ブロック
３５ａ  傾斜部
３５ｂ  室外側部
３５ｃ  室内側部
３５ｄ  第１切り欠き
３５ｅ  第２切り欠き
３６    第２固定ブロック
３６ａ  基部
３６ｂ  突起部
３６ｃ  凸部
３６ｄ  張出板部
３６ｅ  通孔
３７    ねじ
３８    補助カバー
３９    ねじ
４０    室外側風止め板
４０ａ  基板部
４０ｂ  取付板部
４０ｃ  庇部
４０ｄ  係合凸部
４０ｅ  折れ曲がり板部
４０ｆ  通孔
４０ｇ  切り欠き
４１    ねじ
４２    室内側風止め板
４２ａ  取付基部
４２ｂ  垂直板部
４２ｃ  ヒレ部
４３    第１室外側竪枠
４４    第１室内側竪枠
４５ａ、４５ｂ  係止凹溝
４６    第２室外側竪枠
４７    第２室内側竪枠
４８ａ、４８ｂ  係止凹溝
４９    上框
５０    下框
５１    召し合わせ框
５２    戸先框
５３    ガラスパネル
５４    框枠体
５５ａ１、５５ａ２〜５５ｇ１、５５ｇ２  断熱材
５６ａ、５６ｂ  框側断熱ライン
５７    室外側上框
５８    室内側上框
５９ａ、５９ｂ  係止凹溝
６０ａ〜６０ｄ  ガラス溝
６１    上部外案内溝
６２    室外側下框
６３    室内側下框
６４ａ、６４ｂ  係止凹溝
６５    戸車
６６    室外側戸先框
６７    室内側戸先框
６８ａ、６８ｂ  係止凹溝
６９    上框
７０    下框
７１    召し合わせ框
７２    戸先框
７３    ガラスパネル
７４    框枠体
７５    室外側上框
７６    室内側上框
７７ａ、７７ｂ  係止凹溝
７８ａ〜７８ｄ  ガラス溝
７９    上部内案内溝
８０    室外側下框
８１    室内側下框
８２ａ、８２ｂ  係止凹溝
８３    室外側召し合わせ框
８４    室内側召し合わせ框
８５ａ、８５ｂ  係止凹溝
８６    室外側戸先框
８７    室内側戸先框
８８ａ、８８ｂ  係止凹溝
８９    シール材
９０    ねじ
９１    シール材
【図１】
2018204388.tif 000003
【図２】
2018204388.tif 000004
【図３】
2018204388.tif 000005
【図４】
2018204388.tif 000006
【図５】
2018204388.tif 000007
【図６】
2018204388.tif 000008
【図７】
2018204388.tif 000009
【図８】
2018204388.tif 000010
【図９】
2018204388.tif 000011
【図１０】
2018204388.tif 000012
【図１１】
2018204388.tif 000013
【図１２】
2018204388.tif 000014